(57)【要約】【課題】紙ファイルの綴じ穴や使用者の指を傷付けることなく、紙ファイルの枚数を増減させても、紙パイルの上方部分の束が倒れかかっても、紙パイルを確実に抑え付けることができ、高い耐久性を有するペーパーファスナーを提供すること。【解決手段】紙パイルＰを下支えするパイル下支え部材２０と、下支え部材２０の一端に連続して設けられ紙パイルＰの一方の綴じ穴ＰＨ１を貫通し紙パイルＰを上から抑え付けるパイル抑え部材３０と、下支え部材２０の他端に連続して設けられ紙パイルＰの他方の綴じ穴ＰＨ２を貫通しパイル抑え部材３０を掛け止め保持する掛け止め掛け保持部材４０とを備え、パイル抑え部材３０は、多数の噛み合い凸部３２を有し、掛け止め保持部材４０は、パイル抑え部材３０を係入する縦溝４２とパイル抑え部材３０の噛み合い凸部３２を着脱自在に係入して掛け止めする掛け止め凹部４２とを有する。【選択図】図１
2009208431.tif 000002
【特許請求の範囲】
【請求項１】
多数の紙ファイルのパイル（以下紙パイルと称する）を綴じるペーパーファスナーにおいて、前記紙パイルを下支えするパイル下支え部材と、前記パイル下支え部材の一端に連続して一体に設けられ前記紙パイルの一方の綴じ穴を貫通し前記紙パイルを上から抑え付けるパイル抑え部材と、前記パイル下支え部材の他端に連続して一体に設けられ前記紙パイルの他方の綴じ穴を貫通し前記パイル抑え部材を掛け止め保持する掛け止め保持部材とを備え、前記パイル抑え部材は、所定の間隔をあけて設けられた多数の噛み合い凸部を有し、前記掛け止め保持部材は、前記パイル抑え部材の噛み合い凸部を着脱自在に係入して掛け止めする掛け止め凹部を有することを特徴とするファイルホルダー。
【請求項２】
請求項1に記載のペーパーファスナーであって、前記掛け止め保持部材は、縦溝を有する中空部材から成り、前記噛み合い凹部は、前記中空部材の内壁に設けられていることを特徴とするペーパーファスナー。
【請求項３】
請求項２に記載のペーパーファスナーであって、前記掛け止め保持部材は、その先端にパイル抑え部材が下方から斜めに中空部内に入り込むように下面が開口する入口を有することを特徴とするペーパーファスナー。
【請求項４】
請求項１乃至３のいずれかに記載のファイルホルダーであって、前記パイル下支え部材と前記パイル抑え部材と前記掛け止め保持部材とは、一体成型で形成されていることを特徴ペーパーファスナー。
【請求項５】
請求項１乃至４のいずれかに記載のペーパーファスナーであって、前記パイル抑え部材の噛み合い凸部は、所定の間隔をあけて設けられた多数のビーズから成っていることを特徴とするペーパーファスナー。
【請求項６】
請求項５に記載のペーパーファスナーであって、前記ビーズは、略球形であり、前記略球形ビーズと前記掛け止め保持部材の掛け止め凹部とは、隣り合うビーズ間で差し込み方向の後方段部で相互に噛み合うようになっていることを特徴とするペーパーファスナー。
【請求項７】
請求項５に記載のペーパーファスナーであって、前記ビーズは、その外周の少なくともその一部に断面略梯形部分を有し、前記断面梯形部分を有するビーズと前記掛け止め保持部材の掛け止め凹部とは、隣り合うビーズ間で差し込み方向の後方の水平段部で相互に噛み合うようになっていることを特徴とするペーパーファスナー。
【請求項８】
表紙と裏表紙と背表紙とを含むホルダー本体と前記ホルダー本体に多数の紙ファイルのパイル（以下紙パイルと称する）を綴じ込むことができる請求項１乃至７のいずれかに記載のペーパーファスナーとを備え、前記ペーパーファスナーは、前記ファイル本体の裏表紙の内面に配置され、且つ前記裏表紙に固定される固定手段を更に含んでいることを特徴とするファイルホルダー。
【請求項９】
請求項８に記載のファイルホルダーであって、前記固定手段は、前記パイル下支え部材の側方から延びる少なくとも１つの可撓性固定片から成り、前記可撓性固定片は、前記裏表紙のスリットを貫通して裏表紙の外面で折り返され、且つ前記可撓性固定片の先端は、前記裏表紙を突き抜けて前記裏表紙の内面に位置するパイル下支え部材部分の引っ掛け孔に係止する掛け止めヘッド付きのピンを有することを特徴とするファイルホルダー。
【発明の詳細な説明】
【技術分野】
【０００１】
本発明は、多数の紙ファイルをパイル状に積み重ねて綴じ込む２綴じ穴式ペーパーファスナー及びファイルホルダーに関するものである。
【背景技術】
【０００２】
多数の紙ファイルをパイル状に積み重ねて綴じ込む種々の２綴じ穴式ペーパーファスナー（紙綴じ具）が実用化されている。
【０００３】
１つの従来技術の２綴じ穴式ペーパーファスナーは、紙パイルの綴じ穴を貫通する２つの綴じ条を両端に有して紙パイルを下支えする下支え部材と、２つの綴じ条が貫通する２つの綴じ穴を有して紙パイルの上から抑え付ける抑え部材との２つの別個の部品から成っている２部品形態のものである。この２部品形態のペーパーファスナーには、樹脂製のものと薄板金属製のものとがある。
【０００４】
しかし、いずれの材質であっても、２部品の形態のペーパーファスナーは、紙パイルを綴じるときに、抑え部材を取り外して仮置きし、紙パイルに綴じ条を通して紙パイルを下支え部材に下支えした後、仮置きした抑え部材に２つの綴じ条を挿通しなければならないので、取り扱いに不便さがあった。
【０００５】
また、この形態の樹脂製ペーパーファスナーは、ファイルホルダーの外側にペーパーファスナーを係止固定するための肉厚の固定用爪が出ており、このため，棚や引き出し等にファイルホルダーを並べて隣に差し入れ収納する際にこの爪の先が引っ掛かる虞があり、これを回避するために、ペーパーファスナー固定用の爪は、ファイルホルダーの裏表紙をファイルホルダーの内部でＳ字状に折り返した部分に組み付けられている。これは、ファイルホルダーが紙製である場合には、可能であるが、ファイルホルダーが樹脂製である場合には、折り返した部分を設けることが難しいため、樹脂製ファイルホルダーに樹脂製のペーパーファスナーを取り付けることは好ましくなかった。
【０００６】
２部品形態の薄板金属製のペーパーファスナーは、ファイルホルダーの外側に固定用爪が出ていても、爪も薄板金属製であるため、棚などへの出し入れに差支えないが、薄板金属によって紙ファイルの綴じ穴を損傷することがある上に、紙ファイルのパイルを増減させる毎に、綴じ条の折り曲げ位置が変わるため、綴じ条の表面に凹凸の曲げ痕が残り、次の所定の位置で折り曲げできないときもある。また、綴じ条の繰り返しの曲げによって耐久性にも問題がある上に、薄板金属であるため、その端面で指を損傷させる虞があった。
【０００７】
他の従来技術の２綴じ穴式ペーパーファスナーは、下支え部材の両端に折り曲げ可能に塑性変形する２つの抑え片を有する薄板金属製の１部品の形態である。この形態のペーパーファスナーは、紙ファイルを２つの抑え片に通した後、これらの抑え片を綴じ穴の内側又は外側に折り曲げて紙パイルを抑え付けて紙パイルを綴じ込む。このぺーファスナーは、上記の薄板金属製の２部品の形態の２綴じ穴式ペーパーファスナーと同じ欠点の他に、抑え片を外側に折り曲げる場合には、ファイルホルダーを垂直に立てかけたとき、ペーパーファスナーの上側の抑え片にこの上側の抑え片より上方の紙パイル部分の束が倒れかかって、これらの紙パイル部分の重みによって抑え片の曲げが戻され、紙パイルの抑え力が低下することがある。
【発明の開示】
【発明が解決しようとする課題】
【０００８】
本発明が解決しようとする１つの課題は、２綴じ穴式で１部品の形態であるが、紙ファイルの綴じ穴や使用者の指を傷付けることがない上に、紙ファイルのパイルを増減させても、また紙パイルの上方部分の束が倒れかかっても、紙パイルを確実に抑え付けることができ、また高い耐久性を有するペーパーファスナーを提供することにある。
【０００９】
本発明が解決しようとする他の課題は、２綴じ穴式で１部品の形態であるが、紙ファイルの綴じ穴や使用者の指を傷付けることがない上に、紙ファイルのパイルを増減させても、また紙パイルの上方部分の束が倒れかかっても、紙パイルを確実に抑え付けることができ、また高い耐久性を有するペーパーファスナーを備えたファイルホルダーを提供することにある。
【課題を解決するための手段】
【００１０】
本発明の第１の課題解決手段は、多数の紙ファイルのパイル（以下紙パイルと称する）を綴じるペーパーファスナーにおいて、紙パイルを下支えするパイル下支え部材と、この下支え部材の一端に連続して一体に設けられ紙パイルの一方の綴じ穴を貫通してこの紙パイルを上から抑え付けるパイル抑え部材と、パイル下支え部材の他端に連続して一体に設けられ紙パイルの他方の綴じ穴を貫通してパイル抑え部材を掛け止め保持する掛け止め保持部材とを備え、パイル抑え部材は、所定の間隔をあけて設けられた多数の噛み合い凸部を有し、掛け止め保持部材は、パイル抑え部材の噛み合い凸部を着脱自在に係入して掛け止めする掛け止め凹部を有することを特徴とするファイルホルダーを提供することにある。
【００１１】
本発明の第１の課題解決手段において、掛け止め保持部材は、縦溝を有する中空部材から成り、掛け止め保持部材の噛み合い凹部は、中空部材の内壁に設けられている形態とすることができ、またこの場合、掛け止め保持部材は、その先端にパイル抑え部材が下方から斜めに中空部内に入り込むように下面が開口する入口を有するのが好ましい。
【００１２】
本発明の第１の課題解決手段において、パイル下支え部材とパイル抑え部材と保持部材とは、一体成型で形成されているのが望ましい。
【００１３】
本発明の第１の課題解決手段において、パイル抑え部材の噛み合い凸部は、所定の間隔をあけて設けられた多数のビーズから成っており、１つの形態では、このビーズは、略球形であり、この略球形のビーズと掛け止め保持部材の掛け止め凹部とは、隣り合うビーズ間で差し込み方向の後方段部で相互に噛み合うようになっており、他の形態では、ビーズは、その外周の少なくともその一部に断面略梯形部分を有し、この断面梯形部分を有するビーズと掛け止め保持部材の掛け止め凹部とは、隣り合うビーズ間で差し込み方向の後方の水平段部で相互に噛み合うようになっているものとすることができる。
【００１４】
本発明の第２の課題解決手段は、表紙と裏表紙と背表紙とを含むホルダー本体とこのホルダー本体に多数の紙のパイル（以下紙パイルと称する）を綴じ込むことができる上記の第１の課題解決手段によるペーパーファスナーとを備え、このペーパーファスナーは、ファイル本体の裏表紙の内面に配置され、且つ裏表紙に固定される固定手段を更に含んでいることを特徴とするファイルホルダーを提供することにある。
【００１５】
本発明の第２の課題解決手段において、固定手段は、パイル下支え部材の側方から延びる少なくとも１つの可撓性固定片から成り、可撓性固定片は、裏表紙のスリットを貫通して裏表紙の外面で折り返され、且つ可撓性固定片の先端は、裏表紙を突き抜けて裏表紙の内面に位置するパイル下支え部材部分の引っ掛け孔に係止する掛け止め頭部付きのピンを有する形態とすることができる。
【発明の効果】
【００１６】
本発明のペーパーファスナーは、２綴じ穴式で１部品の形態であるが、薄板金属の抑え片の折り曲げによって紙パイルを抑え付けるのではなく、下支え部材の一端に連続して一体に設けられて多数の噛み合い凸部を有するパイル抑え部材をパイル下支え部材の他端に連続して一体に設けられた掛け止め掛け保持部材の掛け止め凹部に着脱自在に係入し掛け止めして紙パイルを抑え付けて綴じるので、紙パイルの綴じ穴や使用者の指を傷付けることがない。
【００１７】
更に、薄板金属の抑え片の折り曲げによって紙パイルを抑え付けるのではないので、紙ファイルのパイルを増減させても、抑え部材に曲げ癖による紙パイルの抑え機能の低減を生ずることがなく、また紙パイルの上方部分の束が倒れかかっても、抑え部材が折れ曲がることがなく、いずれの場合も紙パイルを確実に抑え付けることができ、また高い耐久性を付与することができる。
【００１８】
また、本発明のペーパーファスナーは、すべての部材が一体に連続しているので、１つの簡単な金型で容易に製造することができる。
【００１９】
本発明のペーパーファスナーの綴じ動作は、紙パイルの綴じ穴にパイル抑え部材と掛け止め保持部材とを貫通した後、パイル抑え部材を掛け止め保持部材の掛け止め凹部に係入するだけの簡単な操作で達成することができ、取り扱いが容易である。
【００２０】
本発明のペーパーファスナーは、従来技術の薄板金属製抑え片の折り曲げによる抑え付け作用に比べて綴じ込むべき紙パイルの厚みを大きくすることができ、大きな綴じ込み容量を有するペーパーファスナーを提供することができる。
【発明を実施するための最良の形態】
【００２１】
次に、本発明の好ましい実施の形態を図面を参照して詳細に説明すると、図１は、本発明のペーパーファスナー１０を用いて所要枚数の紙ファイルのパイル（以下紙パイルと称する）Ｐが綴じられた状態を示し、紙パイルＰは、通常の穿孔器で２つの綴じ穴が予め形成されている。
【００２２】
ペーパーファスナー１０は、紙パイルＰを下支えするパイル下支え部材２０と、この下支え部材２０の一端に連続して一体に設けられ紙パイルＰの一方の綴じ穴ＰＨ１を貫通しこの紙パイルＰを上から抑え付けるパイル抑え部材３０と、パイル下支え部材２０の他端に連続して一体に設けられ紙パイルＰの他方の綴じ穴ＰＨ２を貫通しパイル抑え部材３０を掛け止め保持する掛け止め掛け保持部材４０とを備えている。このように、パイル下支え部材２０とパイル抑え部材３０と掛け止め保持部材４０とは、一体に連続しているので、適宜のプラスチック材料（例えばナイロン）の射出成型によって製造することができる。
【００２３】
下支え部材２０は、図２（Ａ）（Ｂ）から解るように、帯状本体２２とこの帯状本体２２の両端に同様の幅で起立して延びる延長片２４Ｌ、２４Ｒとから成り、帯状本体２２と延長片２４Ｌ、２４Ｒとの境界部には延長片２４Ｌ、２４Ｒを帯状本体２２に対して折り曲げて起立することができるようにするために両端がくびれている幅狭部分２６ＬＮ、２６ＲＮを有する。
【００２４】
パイル抑え部材３０は、下支え部材２０の延長片２４Ｒに連続して所定の間隔をあけて設けられた多数の噛み合い凸部３２を有し、また掛け止め保持部材４０は、下支え部材２０の延長片２４Ｌに連続して設けられた中空部材４０Ｃから成り、この中空部材４０Ｃは、パイル抑え部材３０が中空部材４０Ｃの中空部内に入り込む縦溝４４とこの中空部の壁に設けられパイル抑え部材３０の噛み合い凸部３２が着脱自在に係入してこの噛み合い凸部３２を掛け止めする掛け止め凹部４２とを有する。
【００２５】
図示の例では、図３（Ａ）（Ｂ）に示すように、掛け止め凸部３２は、略球形のビーズ３２Ｂの形態であり、また、掛け止め凹部４２は、この略球形のビーズ３２Ｂの両側が係入すべき掛け止め保持部材４０は、筒状部に相対する円弧状凹部４２Ａの形態である。
【００２６】
また、図示の例では、掛け止め保持部材４０は、中空部材４０Ｃの先端にパイル抑え部材３０が中空部材４０Ｃの中空部内に下方から斜めに入り込むように下面が開口する入口４６を有する。この入口４６は、その上側の壁４６Ｗによって掛け止め保持部材４０に入り込んだパイル抑え部材３０が掛け止め保持部材４０の縦溝４４から上方に抜け出すのを防止する機能を有する。
【００２７】
次に、上記ペーパーファスナー１０の使用状態を述べると、先ず、ペーパーファスナー１０は、図２（Ａ）に示すような状態にし、綴じ込むべき紙パイルＰの予め穿孔された２つの綴じ穴ＰＨ１、ＰＨ２に下支え部材２０の延長片２４Ｌとパイル抑え部材３０及びに下支え部材２０の延長片２４Ｒと掛け止め保持部材４０とを貫通する。紙パイルＰが薄く、延長片２４Ｌ、２４Ｒよりも低い場合には、これらの延長片２４Ｌ、２４Ｒの一部は、紙パイルＰを抑える機能も有することになる。
【００２８】
その後、パイル抑え部材３０及び掛け止め保持部材４０を相互に接近するように折り曲げるが、この際、パイル抑え部材３０をその先端から掛け止め保持部材４０の下方の入口４６を通して斜めに貫通し、中空部材４０Ｃの縦溝４４の上方に誘導し、パイル抑え部材３０と掛け止め保持部材４０とを相互に引き合うように引っ張りながらパイル抑え部材３０の掛け止め凸部３２を掛け止め保持部材４０の縦溝４４を通して中空部材４０Ｃ内に弾性的に差し込んでその内部の掛け止め凹部４２に係入し掛け止めしてこれらの部材３０、４０を相互に締め付け固定する。
【００２９】
この締め付け状態では、パイル抑え部材３０の掛け止め凸部３２と掛け止め保持部材４０の掛け止め凹部４２とが相互に掛け止めされており、且つ掛け止め保持部材４０の入口４６の上側の壁４６Ｗによってパイル抑え部材３０が縦溝４４から上方に抜け出すのを阻止しているので、紙パイルＰの綴じ状態が確実に維持される。
【００３０】
ペーパーファスナー１０~紙パイルＰを外す場合には、パイル抑え部材３０の先端を指で摘まんでパイル抑え部材３０を掛け止め保持部材４０の縦溝４４から強制的に抜き出す。この場合、パイル抑え部材３０を一旦締め付け方向に引っ張ると、掛け止め凸部３２と掛け止め凹部４２との掛け止めが解放される方向にこれらの凹凸部が相対的に変位するので、パイル抑え部材３０を掛け止め保持部材４０の縦溝４４から円滑に抜き出すことができる。
【００３１】
最後に、パイル抑え部材３０を掛け止め保持部材４０の入口４６から導出してこれらの部材３０、４０を相互に分離し、折りを戻して下支え部材２０に対して垂直になるように展開し、紙パイルＰからこれらの部材３０、４０を抜き出すと、ペーパーファスナー１０は、パイルＰから取り外される。
【００３２】
本発明の変形例が図５に示されており、この変形例では、パイル抑え部材３０の各略球形のビーズ３２Ｂがその一側（縦溝４４に相対する側）に断面略梯形の突起状部分３２Ｐを有し、掛け止め保持部材４０の筒状部４０Ｃの対応する壁にこの略梯形の突起状部分３２Ｐが噛み合うことができるような形状の断面略梯形の凹部４２Ｐを有することを除いて図２の実施の形態と同じである。
【００３３】
この変形例によると、掛け止め凸部３２と掛け止め凹部４２とは、略梯形の突起３２Ｐの水平段部３２ＰＳと掛け止め凹部４２の水平段部４２ＰＳとで噛み合うので、特に、両部材３０、４０を相互に離反する方向に大きな抵抗を有し、両部材３０、４０による紙パイルＰの締め付けを一層確実に行うことができるので好ましい。
【００３４】
なお、この変形例では、略球形のビーズ３２Ｂの一部に略梯形の突起部分３２ＢPを設けたが、ビーズの全周が同様の断面形状となる独楽型であってもよい。
【００３５】
本発明のペーパーファスナー１０は、２綴じ穴式で１部品の形態であるが、従来技術のように、薄板金属の抑え片の折り曲げによって紙パイルＰを抑え付けるのではなく、下支え部材２０の一端に連続して一体に設けられて多数の噛み合い凸部３２を有するパイル抑え部材３０をパイル下支え部材２０の他端に連続して一体に設けられた掛け止め掛け保持部材４０の掛け止め凹部４２に着脱自在に係入し掛け止めして紙パイルＰを抑え付けて綴じるので、紙パイルＰの綴じ穴や使用者の指を傷付けることがない。
【００３６】
また、従来技術のように、薄板金属の抑え片の折り曲げによって紙パイルＰを抑え付けるのではないので、紙パイルＰの枚数を増減させても、抑え部材に曲げ癖による紙パイルの抑え機能の低減を生ずることがなく、また紙パイルＰの上方部分の束が倒れかかっても、抑え部材が折れ曲がることがなく、いずれの場合も紙パイルＰを確実に抑え付けることができ、また高い耐久性を付与することができる。
【００３７】
更に、本発明のペーパーファスナー１０の綴じ動作は、上記のように、紙パイルＰの２つの綴じ穴にパイル抑え部材３０と掛け止め保持部材４０とを貫通した後、パイル抑え部材３０を掛け止め保持部材４０の掛け止め凹部４２に係入するだけの簡単な操作で達成することができ、取り扱いが容易である。
【００３８】
本発明のペーパーファスナー１０は、従来技術の薄板金属製抑え片の折り曲げによる抑え付け作用に比べて綴じ込むべき紙パイルＰの厚みを大きくすることができ、大きな綴じ込み容量を有するペーパーファスナーを提供することができる。
【００３９】
本発明がファイルホルダーに適用された例が図６以下に示されており、この例では、図１乃至図４又は図５の形態のペーパーファスナー１０がファイルホルダー７０に取り付けられている。
【００４０】
ファイルホルダー７０は、表紙７２と裏表紙７４と背表紙７６とを含むホルダー本体７８から成り、またこのホルダー本体７８に紙パイルＰを綴じ込むペーパーファスナー１０は、ファイル本体７８の裏表紙７４の内面に配置されている。このペーパーファスナー１０は、裏表紙７４に固定される固定手段８０を更に含んでいる。
【００４１】
図６において符号７２Ｈ、７６Ｈは、ペーパーファスナー１０によって綴じ込まれて位置決めされる表題等記載用紙（図示すぜ）の表題等を視認することができる設けられた表示窓であるが、これは本発明の要旨には直接関連しないので詳細な説明は省略する。
【００４２】
図示の形態では、固定手段８０は、パイル下支え部材２０の側方から延びる２つの可撓性固定片８２から成り、これらの可撓性固定片８２は、裏表紙７４のスリット７４ＳＬを貫通して裏表紙７４の外面に露出し裏表紙７４の外面に沿って折り返される。このように折り返された可撓性固定片８２の先端は、裏表紙７４を突き抜けて裏表紙７４の内面に位置する下支え部材２０の引っ掛け孔２０Ｈに係止する掛け止めヘッド８４Ｈ付きのピン８４Ｐを有する。このヘッド８４Ｈ付きピン８４Ｐは、ヘッド８４Ｈが下支え部材２０の引っ掛け孔２０Ｈを押し広げながら貫通し、ヘッド８４Ｈが引っ掛け孔２０Ｈから抜け出すと、引っ掛け孔２０Ｈが元の内径に戻るように収縮してヘッド８４Ｈが引っ掛け孔２０Ｈの上端に引っ掛けられる。
【００４３】
このファイルホルダー７０のペーパーファスナー１０の使用状態は、図１乃至図５で説明したのと全く同様であるので、その説明を省略する。
【００４４】
なお、上記実施の形態では、ペーパーファスナー１０は、下支え部材２０から横方向に延びる可撓性固定片８２から成る固定手段８０を用いてホルダー本体７８に固定されているが、他の適宜の固定手段で固定することができる。例えば、ペーパーファスナー１０の成型時に、このペーパーファスナー１０に一体にインサートして取り付けられた１つ又は複数の薄板金属固定片を裏表紙７４のスリットを通して裏表紙７４の外側に導出し、裏表紙７４沿って折り返して固定してもよい。また、固定手段８０は、溶着又は接着であってもよい。例えば、ファイルホルダー７０が樹脂製である場合には、その裏表紙７４に溶着し、ファイルホルダーが紙製である場合には、その裏表紙７４に接着することができる。
【産業上の利用可能性】
【００４５】
本発明によれば、薄板金属抑え片の折り曲げによる綴じ込みではないので、紙ファイルの綴じ穴や使用者の指を傷付けることがない上に、紙ファイルのパイルを増減させても、また紙パイルの上方部分の束が倒れかかっても、紙パイルを確実に抑え付けることができ、また高い耐久性を有するので、高い産業上の利用性を有する。
【図面の簡単な説明】
【００４６】
【図１】本発明のペーパーファスナーの使用状態の一部を切欠いた断面図である。
【図２】本発明の１つの実施の形態によるペーパーファスナーを示し、同図（Ａ）乃至（Ｄ）は、その側面図、底面図、右側面図及び左側面図である。
【図３】パイル抑え部材と掛け止め保持部材との噛み合い状態を示し、同図（Ａ）は、その拡大正面図、同図（Ｂ）は、同図（Ａ）のＢ−Ｂ線断面図、同図（Ｃ）は、同図（Ａ）のＣ−Ｃ線断面図である。
【図４】掛け止め保持部材の先端部分の拡大縦断面図である。
【図５】パイル抑え部材と掛け止め保持部材との噛み合い状態の変形例を示し、同図（Ａ）は、その拡大正面図、同図（Ｂ）は、同図（Ａ）のＢ−Ｂ線断面図、同図（Ｃ）は、同図（Ａ）のＣ−Ｃ線断面図である。図１乃至図４のファイルホルダーに用いられる表題等記載用紙の拡大正面図である。
【図６】本発明をファイルホルダーに適用した場合を示し、同図（Ａ）は、その展開状態の正面図、同図（Ｂ）は、ペーパーファスナーを有する部分の裏表紙の内面の正面図である。
【図７】図６のファイルホルダーに用いられるペーパーファスナーの底面図である。
【図８】図６のペーパーファスナーの固定手段を説明図する拡大断面図である。
【符号の説明】
【００４７】
１０ ペーパーファスナー
２０  パイル下支え部材
２０Ｈ  引っ掛け孔
２２  帯状本体
２４Ｌ、２４Ｒ  延長片
２６ＬＮ、２６ＲＮ  幅狭部分
３０  パイル抑え部材
３２  噛み合い凸部
３２Ｂ  ビーズ
３２Ｐ  断面略梯形の突起
３２ＰＳ  水平段部
４０  掛け止め保持部材
４０Ｃ  中空部材
４２  掛け止め凹部
４２Ａ  円弧状凹部
４２Ｐ  断面略梯形の凹部
４２ＰＳ  水平段部
４４  縦溝
４６  入口
４６Ｗ  壁
７０  ファイルホルダー
７２  表紙
７２Ｈ  表示窓
７４  裏表紙
７４ＳＬ  スリット
７６  背表紙
７６Ｈ  表示窓
７８  ホルダー本体
８０  固定手段
８２  可撓性固定片
８４Ｈ  ヘッド
８４Ｐ  ピン
Ｐ  紙パイル
ＰＨ１、ＰＨ２  綴じ穴
【図１】
2009208431.tif 000003
【図２】
2009208431.tif 000004
【図３】
2009208431.tif 000005
【図４】
2009208431.tif 000006
【図５】
2009208431.tif 000007
【図６】
2009208431.tif 000008
【図７】
2009208431.tif 000009
【図８】
2009208431.tif 000010